(57)【要約】  冷凍サイクル装置は、筐体と、屋外に連通する第１の入口及び室内に連通する第１の出口を有する第１の風路と、室内に連通する第２の入口及び屋外に連通する第２の出口を有する第２の風路と、第１の入口から第１の出口へ空気を流す第１の送風機と、第２の入口から第２の出口へ空気を流す第２の送風機とを含み、筐体に収容されたエアハンドリングユニットと、冷媒が循環する冷媒回路と、を備え、冷媒回路は、冷媒と熱媒体との熱交換を行い、冷媒を凝縮させる第１の熱交換器と、第２の風路に配置され、冷媒と第２の風路を流れる空気との熱交換を行い、冷媒を蒸発させる第２の熱交換器とを含むものである。
2019064335.tif 000002
【特許請求の範囲】
【請求項１】
筐体と、
屋外に連通する第１の入口及び室内に連通する第１の出口を有する第１の風路と、前記室内に連通する第２の入口及び前記屋外に連通する第２の出口を有する第２の風路と、前記第１の入口から前記第１の出口へ空気を流す第１の送風機と、前記第２の入口から前記第２の出口へ空気を流す第２の送風機とを含み、前記筐体に収容されたエアハンドリングユニットと、
冷媒が循環する冷媒回路と、
を備え、
前記冷媒回路は、
前記冷媒と熱媒体との熱交換を行い、前記冷媒を凝縮させる第１の熱交換器と、
前記第２の風路に配置され、前記冷媒と前記第２の風路を流れる空気との熱交換を行い、前記冷媒を蒸発させる第２の熱交換器とを含む
冷凍サイクル装置。
【請求項２】
前記冷媒回路は、
前記筐体に収容されている
請求項１に記載の冷凍サイクル装置。
【請求項３】
前記エアハンドリングユニットは、
前記第１の風路及び前記第２の風路に接続され、前記第１の風路を流れる空気と前記第２の風路を流れる空気とを全熱交換する第３の熱交換器をさらに含む
請求項１又は２に記載の冷凍サイクル装置。
【請求項４】
前記第２の風路には、
前記第２の風路の空気の流れ方向の最上流の位置に前記第２の入口が形成され、
前記第２の風路の空気の流れ方向の最下流の位置に前記第２の出口が形成され、
前記第２の入口の下流であって前記第２の出口の上流の位置に前記第３の熱交換器が配置され、
前記第３の熱交換器よりも下流であって前記第２の出口の上流の位置に前記第２の熱交換器が配置されている
請求項３に記載の冷凍サイクル装置。
【請求項５】
前記第１の熱交換器と、前記熱媒体を搬送する第１のポンプとを含み、前記熱媒体が循環する熱媒体回路をさらに備え、
前記熱媒体回路は、給湯タンク内の水を加温する第４の熱交換器に接続され、
前記第１のポンプは、前記熱媒体が流出する第１の流出部及び前記熱媒体が流入する第１の流入部を含み、
前記熱媒体回路は、
前記第１のポンプの前記第１の流出部と前記第１の熱交換器とを接続する第１の熱媒体配管と、
前記第１の熱交換器と前記第４の熱交換器とを接続する第２の熱媒体配管と、
前記第４の熱交換器と前記第１のポンプの前記第１の流入部とを接続する第３の熱媒体配管とを含む
請求項１〜４のいずれか一項に記載の冷凍サイクル装置。
【請求項６】
前記熱媒体回路は、
前記第１の風路に配置された第５の熱交換器と、
前記第２の熱媒体配管に設けられ、前記第１の熱交換器から前記第４の熱交換器へ前記熱媒体を流す第１の流路及び前記第１の熱交換器から前記第５の熱交換器へ前記熱媒体を流す第２の流路とを形成する第１の流路切替弁と、
前記第２の熱媒体配管又は前記第３の熱媒体配管に設けられ、前記第５の熱交換器から前記第１のポンプへ前記熱媒体を流す第４の流路及び前記第４の熱交換器から前記第１のポンプへ前記熱媒体を流す第５の流路とを形成する第２の流路切替弁と、
前記第１の流路切替弁と前記第５の熱交換器とを接続する第４の熱媒体配管と、
前記第２の流路切替弁と前記第５の熱交換器とを接続する第５の熱媒体配管とをさらに含み、
前記第１の風路には、
前記第１の風路の空気の流れ方向の最上流の位置に前記第１の入口が形成され、
前記第１の風路の空気の流れ方向の最下流の位置に前記第１の出口が形成され、
前記第１の入口の下流であって前記第１の出口の上流の位置に前記第３の熱交換器が配置され、
前記第３の熱交換器よりも下流であって前記第１の出口の上流の位置に前記第５の熱交換器が配置されている
請求項３に従属する請求項５に記載の冷凍サイクル装置。
【請求項７】
前記熱媒体回路は、前記熱媒体を搬送する第２のポンプをさらに含み、
前記第１の流路切替弁は、
前記第５の熱交換器から前記第４の熱交換器へ前記熱媒体を流す第３の流路を形成し、
前記第２の流路切替弁は、
前記第３の熱媒体配管に設けられ、
前記第２のポンプから前記第５の熱交換器へ前記熱媒体を流す第６の流路を形成し、
前記第２のポンプは、
前記第３の熱媒体配管に設けられ、
前記熱媒体が流出する第２の流出部及び前記熱媒体が流入する第２の流入部を含み、
前記第２の流出部が前記第２の流路切替弁に接続され、
前記第２の流入部が前記第４の熱交換器に接続されている
請求項６に記載の冷凍サイクル装置。
【請求項８】
前記冷媒回路は、前記冷媒を蒸発させる第６の熱交換器をさらに含み、
前記第１の風路には、
前記第３の熱交換器よりも下流であって前記第５の熱交換器よりも上流の位置に前記第６の熱交換器が配置されている
請求項６又は７に記載の冷凍サイクル装置。
【請求項９】
前記エアハンドリングユニットは、
前記第１の風路に配置されたダンパーと、
前記第１の風路から分岐する第３の風路とをさらに含み、
前記第３の風路は、
前記第１の風路に連通する第３の入口と、
前記室内に連通する第３の出口と、を有し、
前記ダンパーは、
前記第１の風路を流れる空気が前記第１の風路から前記第３の風路へ流れ、前記第１の風路を流れる空気が前記第３の熱交換器をバイパスする第１の状態と、
前記第１の風路を流れる空気が前記第３の熱交換器へ流れ、前記第３の入口を塞ぐ第２の状態とが切り換えられる
請求項３、４と、請求項３、４に従属する請求項５と、請求項６、７とのいずれか一項に記載の冷凍サイクル装置。
【発明の詳細な説明】
【技術分野】
【０００１】
本発明は、冷凍サイクル装置に関し、特に、冷媒を循環する冷媒回路を備え、給気及び排気を行う機能を備えている冷凍サイクル装置に関するものである。
【背景技術】
【０００２】
従来、冷凍サイクル装置には、空気温度調節用の冷媒回a路と、給湯用の冷媒回路とが中間熱交換器を介して接続されて構成されたものが提案されている（例えば、特許文献１参照）。
【先行技術文献】
【特許文献】
【０００３】
【特許文献１】特許第５４５５５２１号公報
【発明の概要】
【発明が解決しようとする課題】
【０００４】
建物の高気密化及び高断熱化が進むにつれて、室内の空気を空気調和する内調の負荷よりも、室内空気と室外空気とを入れ換える換気の負荷の方が相対的に高くなる場合がある。このため、冷媒サイクル装置の構成を換気の負荷の増大を踏まえたものにしないと、ＣＯＰ（Coefficient of performance）が低下するという課題がある。【０００５】
本発明は、上記のような課題を解決するためになされたもので、更なるＣＯＰの向上を実現することができる冷凍サイクル装置を提供することを目的としている。
【課題を解決するための手段】
【０００６】
本発明に係る冷凍サイクル装置は、筐体と、屋外に連通する第１の入口及び室内に連通する第１の出口を有する第１の風路と、室内に連通する第２の入口及び屋外に連通する第２の出口を有する第２の風路と、第１の入口から第１の出口へ空気を流す第１の送風機と、第２の入口から第２の出口へ空気を流す第２の送風機とを含み、筐体に収容されたエアハンドリングユニットと、冷媒が循環する冷媒回路と、を備え、冷媒回路は、冷媒と熱媒体との熱交換を行い、冷媒を凝縮させる第１の熱交換器と、第２の風路に配置され、冷媒と第２の風路を流れる空気との熱交換を行い、冷媒を蒸発させる第２の熱交換器とを含むものである。
【発明の効果】
【０００７】
本発明に係る冷凍サイクル装置によれば、上記構成を備えているので、更なるＣＯＰの向上を実現することができる。
【図面の簡単な説明】
【０００８】
【図１】本発明の実施の形態１に係る冷凍サイクル装置１００の概要構成例図である。
【図２】本発明の実施の形態２に係る冷凍サイクル装置２００の概要構成例図である。
【図３】本発明の実施の形態３に係る冷凍サイクル装置３００の概要構成例図である。
【図４】図３に示す冷凍サイクル装置３００のダンパー１０を、図３に示す第１の状態から第２の状態へ切り換えたことを示す図である。
【図５】本発明の実施の形態４に係る冷凍サイクル装置４００の概要構成例図である。
【図６】本発明の実施の形態４の変形例（冷凍サイクル装置４０１）である。
【図７】本発明の実施の形態５に係る冷凍サイクル装置５００の概要構成例図である。
【図８】本発明の実施の形態５の変形例１（冷凍サイクル装置５０１）である。
【図９】本発明の実施の形態５の変形例２（冷凍サイクル装置５０２）である。
【図１０】本発明の実施の形態６に係る冷凍サイクル装置６００の概要構成例図である。
【発明を実施するための形態】
【０００９】
以下、図面を適宜参照しながら本発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１０】
実施の形態１．
図１は、本実施の形態１に係る冷凍サイクル装置１００の概要構成例図である。図１では、給気の流れＡＲ１及び排気の流れＡＲ２を矢印で示している。図１を参照して冷凍サイクル装置１００の構成等について説明する。
【００１１】
［全体構成説明］
冷凍サイクル装置１００は、エアハンドリングユニット５０（空気調和装置）と、冷媒回路ＲＣと、熱媒体回路ＨＣの一部とを備えている。また、冷凍サイクル装置１００は、圧縮機１等を制御する制御装置Ｃｎｔを備えている。なお、熱媒体回路ＨＣは、後述する第１の熱交換器２と、第１の熱媒体配管Ｐ１と、第２の熱媒体配管Ｐ２と、第３の熱媒体配管Ｐ３と、第４の熱交換器７とを含んでいる。熱媒体回路ＨＣの一部とは、図１に示すように、第１の熱交換器２と、第１の熱媒体配管Ｐ１と、第２の熱媒体配管Ｐ２の一部と、第３の熱媒体配管Ｐ３の一部とを指している。
【００１２】
冷凍サイクル装置１００は、第１の筐体１０１を備えている。第１の筐体１０１には、エアハンドリングユニット５０と、冷媒回路ＲＣと、熱媒体回路ＨＣの一部と、制御装置Ｃｎｔとが設けられている。
本実施の形態１では、エアハンドリングユニット５０及び冷媒回路ＲＣが第１の筐体１０１内に収容されている形態を一例として説明する。また、本実施の形態１では、熱媒体回路ＨＣの一部と制御装置Ｃｎｔとが第１の筐体１０１内に収容されている形態を一例として説明する。
なお、エアハンドリングユニット５０の全体が第１の筐体１０１の内部に収容されている必要はない。つまり、エアハンドリングユニット５０の一部が第１の筐体１０１から露出していてもよい。
また、冷媒回路ＲＣの全体が第１の筐体１０１の内部に収容されている必要はない。つまり、冷媒回路ＲＣの一部が第１の筐体１０１から露出していてもよい。
また、熱媒体回路ＨＣの全体が第１の筐体１０１の内部に収容されている必要はない。つまり、熱媒体回路ＨＣの一部が第１の筐体１０１から露出していてもよい。
更に、制御装置Ｃｎｔは、第１の筐体１０１内に設けられていてもよいし、第１の筐体１０１外に設けられていてもよい。
【００１３】
冷凍サイクル装置１００は、機械室ユニット３０を備えている。機械室ユニット３０は、第２の筐体３１を備えている。第２の筐体３１には、冷媒回路ＲＣの一部と、熱媒体回路ＨＣの一部とが収容されている。具体的には、第２の筐体３１には、圧縮機１と、第１の熱交換器２と、膨張弁３と、第１のポンプ５Ａとが収容されている。
冷凍サイクル装置１００は、第１の筐体１０１内にエアハンドリングユニット５０及び機械室ユニット３０が収容されている。冷凍サイクル装置１００は、エアハンドリングユニット５０と機械室ユニット３０とが一体型となっている冷凍サイクル装置である。このため、冷凍サイクル装置１００は、コンパクトになっている。
【００１４】
［エアハンドリングユニット５０］
エアハンドリングユニット５０は、第１の筐体１０１内に収容された第３の筐体５１を備えている。エアハンドリングユニット５０は、屋外に連通する第１の入口５１Ａ１及び室内に連通する第１の出口５１Ａ２を有する第１の風路５１Ａと、室内に連通する第２の入口５１Ｂ１及び屋外に連通する第２の出口５１Ｂ２を有する第２の風路５１Ｂと、第１の入口５１Ａ１から第１の出口５１Ａ２に空気（給気）を流す第１の送風機５３Ａと、第２の入口５１Ｂ１から第２の出口５１Ｂ２に空気（排気）を流す第２の送風機５３Ｂとを含む。第１の風路５１Ａは給気が流れる給気風路であり、第２の風路５１Ｂは排気が流れる排気風路である。第１の送風機５３Ａは給気を流す給気用送風機であり、第２の送風機５３Ｂは排気を流す排気用送風機である。第１の送風機５３Ａ及び第２の送風機５３Ｂは、例えば、シロッコファンを採用することができる。
また、エアハンドリングユニット５０は、第１の風路５１Ａ及び第２の風路５１Ｂに接続されている第３の熱交換器５２を含む。第３の熱交換器５２は、第１の風路５１Ａを流れる給気と第２の風路５１Ｂを流れる排気とを全熱交換する。なお、エアハンドリングユニット５０には、必ずしも、第３の熱交換器５２が設けられている必要はない。また、エアハンドリングユニット５０の第３の熱交換器５２は、全熱交換させる構成でなくてもよく、熱交換させる構成であってもよい。
【００１５】
第３の筐体５１には、第１の風路５１Ａ及び第２の風路５１Ｂが形成されている。また、第３の筐体５１には、第１の送風機５３Ａ及び第２の送風機５３Ｂが搭載されている。なお、エアハンドリングユニット５０は、第３の筐体５１外に第１の送風機５３Ａ及び第２の送風機５３Ｂが配置されていてもよい。
【００１６】
第１の風路５１Ａには、第１の風路５１Ａの空気の流れ方向の最上流の位置に第１の入口５１Ａ１が形成され、第１の風路５１Ａの空気の流れ方向の最下流の位置に第１の出口５１Ａ２が形成されている。なお、第１の入口５１Ａ１は、例えば、屋外に連通するダクトに接続され、第１の出口５１Ａ２は、例えば、室内に連通するダクトに接続される。これにより、エアハンドリングユニット５０内に取り込んだ外気（給気）を、室内に供給することができる。
【００１７】
第２の風路５１Ｂには、第２の風路５１Ｂの空気の流れ方向の最上流の位置に第２の入口５１Ｂ１が形成され、第２の風路５１Ｂの空気の流れ方向の最下流の位置に第２の出口５１Ｂ２が形成されている。なお、第２の入口５１Ｂ１は、例えば、室内に連通するダクトに接続され、第２の出口５１Ｂ２は、例えば、屋外に連通するダクトに接続される。これにより、エアハンドリングユニット５０内に取り込んだ室内の空気（排気）を、屋外に排出することができる。
【００１８】
また、第２の風路５１Ｂには、第２の入口５１Ｂ１の下流であって第２の出口５１Ｂ２の上流の位置に第３の熱交換器５２が配置されている。これにより、エアハンドリングユニット５０内に取り込んだ室内の空気（排気）の熱を第１の風路５１Ａを流れる空気に与えることができるので、排気が有している熱すなわち廃熱が有効利用される。つまり、冷凍サイクル装置１００では、第３の熱交換器５２を第２の風路５１Ｂに配置しているので、空気（排気）から採熱することができる。
【００１９】
更に、第２の風路５１Ｂには、第３の熱交換器５２よりも下流であって第２の出口５１Ｂ２の上流の位置に第２の熱交換器４が配置されている。これにより、エアハンドリングユニット５０内に取り込んだ室内の空気（排気）の熱を、第２の熱交換器４を流れる冷媒に与えることができ、第２の熱交換器４を流れる冷媒の蒸発を促進させることができる。したがって、冷凍サイクル装置１００では、ＣＯＰの向上を実現することができる。なお、第３の熱交換器５２が冷凍サイクル装置１００の構成として含まれていなくても、このＣＯＰの向上の効果を得ることができる。
【００２０】
第１の風路５１Ａのうち第１の入口５１Ａ１と第１の出口５１Ａ２との間の部分には、第３の熱交換器５２が配置されている。第２の風路５１Ｂのうち第２の入口５１Ｂ１と第２の出口５１Ｂ２との間の部分には、第３の熱交換器５２が配置されている。つまり、第１の風路５１Ａ及び第２の風路５１Ｂの風路の途中には第３の熱交換器５２が配置されている。
【００２１】
［冷媒回路ＲＣ］
冷媒回路ＲＣは、冷媒が循環する。冷媒回路ＲＣの冷媒としては、例えば、Ｒ２９０冷媒を採用することが好ましいが、二酸化炭素冷媒を採用してもＲ４１０冷媒を採用してもよい。冷媒回路ＲＣは、冷媒を圧縮する圧縮機１と、凝縮器として機能する第１の熱交換器２と、絞り装置である膨張弁３と、蒸発器として機能する第２の熱交換器４とを含む。
第１の熱交換器２は、冷媒回路ＲＣを流れる冷媒と通過する熱媒体との熱交換を行い、冷媒を凝縮させる。第１の熱交換器２は、熱媒体と冷媒とを熱交換する熱媒体−冷媒熱交換器であり、例えば、プレート式熱交換器で構成することができる。第２の熱交換器４は、第２の風路５１Ｂに配置され、冷媒と第２の風路５１Ｂを流れる空気との熱交換を行い、冷媒を蒸発させる。第２の熱交換器４は、例えば、フィンチューブ熱交換器で構成することができる。
【００２２】
冷媒回路ＲＣは、冷媒配管ＲＰ１と、冷媒配管ＲＰ２と、冷媒配管ＲＰ３と、冷媒配管ＲＰ４とを含む。冷媒配管ＲＰ１、冷媒配管ＲＰ２、冷媒配管ＲＰ３及び冷媒配管ＲＰ４は、それぞれ、一端及び他端を含む配管である。冷媒配管ＲＰ１、冷媒配管ＲＰ２、冷媒配管ＲＰ３及び冷媒配管ＲＰ４は、それぞれ、一端から他端にかけて延びるように形成され、冷媒が流れる流路が形成されている。
冷媒配管ＲＰ１は、一端が圧縮機１の吐出側に接続され、他端が第１の熱交換器２の冷媒流入部に接続されている。冷媒配管ＲＰ２は、一端が第１の熱交換器２の冷媒流出部に接続され、他端が膨張弁３に接続されている。冷媒配管ＲＰ３は、一端が第２の熱交換器４に接続され、他端が圧縮機１の吸入側に接続されている。
【００２３】
［熱媒体回路ＨＣ］
熱媒体回路ＨＣは、熱媒体が循環する。熱媒体には水を採用することができる。また、熱媒体には不凍液を採用することもできる。更に、熱媒体には水と不凍液との混合液を採用することもできる。熱媒体回路ＨＣは、第１の熱交換器２と、熱媒体を搬送する第１のポンプ５Ａとを含む。熱媒体回路ＨＣは、給湯タンク６内の水を加温する第４の熱交換器７に接続されている。本実施の形態１では、給湯タンク６及び第４の熱交換器７は、冷凍サイクル装置１００の構成として含まれないものとして説明する。なお、図示は省略するが、冷凍サイクル装置１００は給湯タンク６及び第４の熱交換器７を含む態様であってもよい。
【００２４】
第１のポンプ５Ａは、熱媒体が流出する第１の流出部及び熱媒体が流入する第１の流入部を含む。第１の流出部は、一端が後述する第１の熱媒体配管Ｐ１に接続され、他端が第１の熱交換器２に接続されている。第１のポンプ５Ａが運転することで、熱媒体回路ＨＣには熱媒体が循環する。
熱媒体回路ＨＣは、第１のポンプ５Ａの第１の流出部と第１の熱交換器２とを接続する第１の熱媒体配管Ｐ１と、第１の熱交換器２と第４の熱交換器７とを接続する第２の熱媒体配管Ｐ２と、第４の熱交換器７と第１のポンプ５Ａの第１の流入部とを接続する第３の熱媒体配管Ｐ３とを含む。
【００２５】
［制御装置Ｃｎｔ］
制御装置Ｃｎｔは、圧縮機１と、膨張弁３と、第１の送風機５３Ａと、第２の送風機５３Ｂと、第１のポンプ５Ａとを制御する。
【００２６】
制御装置Ｃｎｔに含まれる各機能部は、専用のハードウェア、又は、メモリに格納されるプログラムを実行するＭＰＵ（Micro Processing Unit）で構成される。
制御装置Ｃｎｔが専用のハードウェアである場合、制御装置Ｃｎｔは、例えば、単一回路、複合回路、ＡＳＩＣ（application specific integrated circuit）、ＦＰＧＡ（field-programmable gate array）、またはこれらを組み合わせたものが該当する。制御装置Ｃｎｔが実現する各機能部のそれぞれを、個別のハードウェアで実現してもよいし、各機能部を一つのハードウェアで実現してもよい。
制御装置ＣｎｔがＭＰＵの場合、制御装置Ｃｎｔが実行する各機能は、ソフトウェア、ファームウェア、またはソフトウェアとファームウェアとの組み合わせにより実現される。ソフトウェアやファームウェアはプログラムとして記述され、メモリに格納される。ＭＰＵは、メモリに格納されたプログラムを読み出して実行することにより、制御装置Ｃｎｔの各機能を実現する。メモリは、例えば、ＲＡＭ、ＲＯＭ、フラッシュメモリ、ＥＰＲＯＭ、ＥＥＰＲＯＭ等の、不揮発性または揮発性の半導体メモリである。
【００２７】
［実施の形態１の動作説明］
冷凍サイクル装置１００の給湯沸き上げ運転について説明する。
【００２８】
（給湯沸き上げ運転）
冷媒回路ＲＣにおいて、圧縮機１で圧縮された高温高圧の冷媒が第１の熱交換器２に供給され、第１の熱交換器２を流れる熱媒体と熱交換する。第１の熱交換器２に供給された冷媒は、凝縮し、高圧の液冷媒となる。液冷媒は、膨張弁３で減圧する。膨張弁３で減圧した冷媒は、エアハンドリングユニット５０の第２の風路５１Ｂに配置された第２の熱交換器４で蒸発し、低圧のガス冷媒となる。ガス冷媒は、圧縮機１に吸入される。
熱媒体回路ＨＣにおいて、第１のポンプ５Ａから吐出した熱媒体が、第１の熱交換器２に供給され、第１の熱交換器２を流れる冷媒と熱交換する。第１の熱交換器２において冷媒と熱媒体とが熱交換することで、第１の熱交換器２の熱媒体の温度は上昇する。第１の熱交換器２を通過した熱媒体は、第４の熱交換器７に供給され、給湯タンク６内の水と熱交換し、温度が低下する。第４の熱交換器７を通過した熱媒体は、第１のポンプ５Ａに吸入される。
【００２９】
（換気運転）
次に、冷凍サイクル装置１００の換気運転について説明する。
第１の風路５１Ａには、第１の送風機５３Ａが運転することで屋外空気（給気）が取り込まれる。また、第２の風路５１Ｂには、第２の送風機５３Ｂが運転することで室内空気（排気）が取り込まれる。
第１の風路５１Ａに取り込まれた空気及び第２の風路５１Ｂに取り込まれた空気は、全熱交換器である第３の熱交換器５２に流入する。第３の熱交換器５２において、第１の風路５１Ａの空気と第２の風路５１Ｂの空気とは熱交換する。例えば冬期において、第２の風路５１Ｂから第３の熱交換器５２へ流入する排気の熱が、第１の風路５１Ａから第３の熱交換器５２へ流入する給気に与えられる。これにより、冷凍サイクル装置１００の第１の風路５１Ａから室内に供給される給気の温度を上昇させることができ、冷凍サイクル装置１００は換気運転によって室内温度が低下することを抑制することができる。
第２の風路５１Ｂにおいて、第３の熱交換器５２を通過した空気は、第２の熱交換器４を通過し、第２の熱交換器４を流れる冷媒と熱交換する。例えば冬期において、室内に設置された暖房器具等によって室内空気温度が上昇している。この温度が上昇している室内空気は、全熱交換器である第３の熱交換器５２を通過する過程で第３の熱交換器５２から熱を奪われる。その結果、この温度が上昇している室内空気は温度が下がる。しかし、温度が下がっても、この空気の温度は、外気温度及び第２の熱交換器４の温度よりも高い。したがって、この空気が第２の熱交換器４を通過することにより、この空気は第２の熱交換器４を流れる冷媒の蒸発を促進することができる。
【００３０】
冷凍サイクル装置１００は、給湯沸き上げ運転及び換気運転を同時に行うことで、お湯を沸かすときにおけるＣＯＰを向上させることができ、また、室内空気と屋外空気とを入れ換えることができる。
なお、冷凍サイクル装置１００は、給湯沸き上げ運転を行っていないときに（圧縮機１を停止しているときに）、換気運転を行うこともできる。また、冷凍サイクル装置１００は、換気運転を行っていないときに（第１の送風機５３Ａ及び第２の送風機５３Ｂを停止しているときに）、給湯沸き上げ運転を行うこともできる。
【００３１】
（除霜運転）
冷凍サイクル装置１００は、除霜運転を行うこともできる。除霜運転では、膨張弁３の開度を全開とする。これにより、高温高圧の冷媒が、第１の熱交換器２及び膨張弁３を介して、第２の熱交換器４に供給され、第２の熱交換器４に付着した霜を溶かすことができる。
【００３２】
［本実施の形態１に係る冷凍サイクル装置１００の効果］
本実施の形態１に係る冷凍サイクル装置１００は、第２の熱交換器４が、第２の風路５１Ｂに配置され、冷媒と第２の風路５１Ｂを流れる空気との熱交換を行い、冷媒を蒸発させる。つまり、冷凍サイクル装置１００では、第２の熱交換器４を流れる冷媒の蒸発が、屋外の空気より温度が高い室内空気の廃熱により、促進する。したがって、冷凍サイクル装置１００は、冷媒回路ＲＣのＣＯＰを向上させることができる。
【００３３】
実施の形態２．
図２は、本実施の形態２に係る冷凍サイクル装置２００の概要構成例図である。実施の形態２では、実施の形態１と共通する内容の説明は省略し、実施の形態１と相違する部分を中心に説明するものとする。実施の形態２の構成は、実施の形態１の構成に、第１の流路切替弁９Ａ、第２の流路切替弁９Ｂ及び第５の熱交換器８が加わっている構成である。
【００３４】
熱媒体回路ＨＣは、第５の熱交換器８と、第１の流路切替弁９Ａと、第２の流路切替弁９Ｂと、第４の熱媒体配管Ｐ４と、第５の熱媒体配管Ｐ５とを備えている。
【００３５】
第５の熱交換器８は、第１の風路５１Ａに配置されている。第５の熱交換器８は、第１の風路５１Ａのうち第３の熱交換器５２よりも下流に配置されている。すなわち、第１の風路５１Ａには、第１の入口５１Ａ１の下流であって第１の出口５１Ａ２の上流の位置に第３の熱交換器５２が配置され、第３の熱交換器５２よりも下流であって第１の出口５１Ａ２の上流の位置に第５の熱交換器８が配置されている。第５の熱交換器８は、例えば、フィンチューブ熱交換器で構成することができる。
なお、第５の熱交換器８は、第１の風路５１Ａのうち第３の熱交換器５２よりも上流に配置されていてもよい。第５の熱交換器８は、熱媒体が流れることで加温され、第１の風路５１Ａを流れる空気に熱を与える。これにより、室内に供給される空気の温度を屋外の冷たい外気温度よりも上昇させ、換気運転によって室内温度が低下することを抑制することができる。
また、第５の熱交換器８は、熱媒体の流れ方向が、第１の風路５１Ａを流れる空気に対して、対向流となるように構成されているとよい。つまり、第５の熱交換器８は、伝熱管が第１の風路５１Ａの風路の延出方向に平行に配置され、伝熱管の流路の上流が第１の風路５１Ａの下流側に位置し、伝熱管の流路の下流が第１の風路５１Ａの上流側に位置しているとよい。
【００３６】
第１の流路切替弁９Ａは、第２の熱媒体配管Ｐ２に設けられている。そして、第１の流路切替弁９Ａは、第１の熱交換器２から第４の熱交換器７へ熱媒体を流す第１の流路及び第１の熱交換器２から第５の熱交換器８へ熱媒体を流す第２の流路とを形成する。第１の流路の開閉及び第２の流路の開閉は、制御装置Ｃｎｔによって制御される。制御装置Ｃｎｔ及び第１の流路切替弁９Ａは、第１の流路及び第２の流路の両方を同時に開くことができ、また、第１の流路及び第２の流路のうちの一方を開くこともできるように構成されている。
【００３７】
第２の流路切替弁９Ｂは、第２の熱媒体配管Ｐ２又は第３の熱媒体配管Ｐ３に設けられている。本実施の形態２では、第３の熱媒体配管Ｐ３に第２の流路切替弁９Ｂが設けられている例を示しているが、第２の熱媒体配管Ｐ２に設けられていてもよい。第２の流路切替弁９Ｂが第２の熱媒体配管Ｐ２に設けられていても、第５の熱交換器８に加温された熱媒体を供給することができる。
第２の流路切替弁９Ｂは、第５の熱交換器８から第１のポンプ５Ａへ熱媒体を流す第４の流路及び第４の熱交換器７から第１のポンプ５Ａへ熱媒体を流す第５の流路とを形成する。第４の流路の開閉及び第５の流路の開閉は、制御装置Ｃｎｔによって制御される。制御装置Ｃｎｔ及び第２の流路切替弁９Ｂは、第４の流路及び第５の流路の両方を同時に開くことができ、また、第４の流路及び第５の流路のうちの一方を開くこともできるように構成されている。
【００３８】
第４の熱媒体配管Ｐ４は、第１の流路切替弁９Ａと第５の熱交換器８とを接続する。
第５の熱媒体配管Ｐ５は、第２の流路切替弁９Ｂと第４の熱交換器７とを接続する。
【００３９】
［実施の形態２の動作説明］
冷凍サイクル装置２００は、第５の熱交換器８を備えているため、暖房運転を実施することができる。なお、暖房運転には、第１の暖房運転と、第２の暖房運転とがある。
【００４０】
（第１の暖房運転）
冷媒回路ＲＣの動作については、実施の形態１で説明した給湯沸き上げ運転と同様である。
【００４１】
熱媒体回路ＨＣの動作については、第１の流路切替弁９Ａが第１の流路を開とし、第２の流路を閉とする。また、第２の流路切替弁９Ｂが第４の流路を開とし、第５の流路を閉とする。つまり、熱媒体が、第１のポンプ５Ａ、第１の熱媒体配管Ｐ１、第１の熱交換器２、第２の熱媒体配管Ｐ２、第１の流路切替弁９Ａ、第４の熱媒体配管Ｐ４、第５の熱交換器８、第５の熱媒体配管Ｐ５及び第２の流路切替弁９Ｂの順番に循環し、第１のポンプ５Ａに戻る。第１の熱交換器２で加温された熱媒体は、第５の熱交換器８に供給され、第１の風路５１Ａを流れる空気と熱交換し、第１の風路５１Ａを流れる空気を加温する。
第１の暖房運転では、第４の熱交換器７に熱媒体を供給しないため、給湯タンク６内の水の加温はしない。
【００４２】
（第２の暖房運転）
冷媒回路ＲＣの動作については、実施の形態１で説明した給湯沸き上げ運転と同様である。
【００４３】
熱媒体回路ＨＣの動作については、第１の流路切替弁９Ａが第１の流路及び第２の流路を開とする。また、第２の流路切替弁９Ｂが第４の流路及び第５の流路を開とする。つまり、熱媒体が、第１のポンプ５Ａ、第１の熱媒体配管Ｐ１、第１の熱交換器２、第２の熱媒体配管Ｐ２及び第１の流路切替弁９Ａの順番に流れる。そして、第１の流路切替弁９Ａに流入した熱媒体は、第５の熱交換器８へ向かう熱媒体と、第４の熱交換器７へ向かう熱媒体とに分岐する。ここで、第５の熱交換器８へ向かう熱媒体を一部の熱媒体と称し、第４の熱交換器７へ向かう熱媒体を残りの熱媒体と称する。一部の熱媒体は、第１の流路切替弁９Ａ、第４の熱媒体配管Ｐ４、第５の熱交換器８、第５の熱媒体配管Ｐ５及び第２の流路切替弁９Ｂの順番に流れる。残りの熱媒体は、第１の流路切替弁９Ａ、第４の熱交換器７及び第２の流路切替弁９Ｂの順番に流れる。一部の熱媒体及び残りの熱媒体は、第２の流路切替弁９Ｂで合流し、第１のポンプ５Ａに戻る。
第１の暖房運転では、第１の風路５１Ａの空気の加温だけでなく、給湯タンク６内の水の加温を行う。
【００４４】
第２の暖房運転を実行しているときにおいて、制御装置Ｃｎｔは、第５の熱交換器８の加温を重視するか、給湯タンク６の水の加温を重視するか、又は、第５の熱交換器８の加温と給湯タンク６の水の加温とのバランスを重視するかを制御することができる。例えば、第２の暖房運転を行っている場合において、第１の流路切替弁９Ａ及び第２の流路切替弁９Ｂの開度は、給湯タンク６の水温を検出する温度センサ、第１の風路５１Ａから吹き出される空気の温度を検出する温度センサ、第１の風路５１Ａに取り込まれる空気の温度を検出する温度センサ、及び、室内温度を検出する温度センサの検出温度に基づいて決定することができる。つまり、制御装置Ｃｎｔは、これらの温度センサの検出温度に基づいて、第１の流路の開度量、第２の流路の開度量、第４の流路の開度量及び第５の流路の開度量を取得し、第１の流路切替弁９Ａ及び第２の流路切替弁９Ｂを制御する。
【００４５】
第１の暖房運転及び第２の暖房運転において、第１の送風機５３Ａは運転をするが、第２の送風機５３Ｂについては運転をしてもよいし、しなくてもよい。なお、第１の暖房運転及び第２の暖房運転において、第２の送風機５３Ｂの運転をすることで、第２の送風機５３Ｂから第２の熱交換器４へ供給された空気が第２の熱交換器４の冷媒の蒸発を促進し、且つ、室内空気を室内から屋外へ排出することができる。
【００４６】
冷凍サイクル装置２００も、実施の形態１で説明した、給湯沸き上げ運転及び除霜運転を行うことができる。
【００４７】
［本実施の形態２に係る冷凍サイクル装置２００の効果］
本実施の形態２に係る冷凍サイクル装置２００は、実施の形態１に係る冷凍サイクル装置１００の有する効果に加えて次の効果を有する。すなわち、冷凍サイクル装置２００は、第１の暖房運転及び第２の暖房運転の少なくとも一方を行い、第５の熱交換器８で加温された空気を室内に供給することができる。
【００４８】
実施の形態３．
図３は、本実施の形態３に係る冷凍サイクル装置３００の概要構成例図である。
図４は、図３に示す冷凍サイクル装置３００のダンパー１０を、図３に示す第１の状態から第２の状態へ切り換えたことを示す図である。実施の形態３では、実施の形態１、２と共通する内容の説明は省略し、実施の形態１、２と相違する部分を中心に説明するものとする。実施の形態３の構成は、実施の形態２の構成に、ダンパー１０及び第３の風路５１Ｃが加わっている構成である。
【００４９】
冷凍サイクル装置３００のエアハンドリングユニット５０は、第１の風路５１Ａに配置されたダンパー１０と、第１の風路５１Ａから分岐する第３の風路５１Ｃとを含む。
【００５０】
第３の風路５１Ｃは、第１の風路５１Ａに連通する第３の入口５１Ｃ１と、室内に連通する第３の出口５１Ｃ２と、を有する。また、ダンパー１０は第１の状態と第２の状態とが切り換え自在である。ダンパー５１が第１の状態であるときにおいて、第１の風路５１Ａを流れる空気は第１の風路５１Ａから第３の風路５１Ｃへ流れ、第１の風路５１Ａを流れる空気は第３の熱交換器５２をバイパスする。ダンパー１０が第２の状態であるときにおいて、第３の入口５１Ｃ１はダンパー１０によって塞がれ、第１の風路５１Ａを流れる空気は第３の熱交換器５２へ流れる。ダンパー１０の第１の状態は図３に示され、第２の状態は、図４に示されている。
【００５１】
［実施の形態３の動作説明］
冷凍サイクル装置３００は、ダンパー１０及び第３の風路５１Ｃを備えているため、フリークーリング運転を行うことができる。
【００５２】
（フリークーリング運転）
フリークーリング運転は、消費電力を抑えながら、室内温度の上昇を抑制したい場合に行う運転である。
【００５３】
冷凍サイクル装置３００は、外気温度を検出する温度センサ、及び、室内温度を検出する温度センサを備えている。制御装置Ｃｎｔは、これらの温度センサの検出温度に基づいて、ダンパー１０の第１の状態と第２の状態とを切り換える。
制御装置Ｃｎｔは、外気温度が室内温度より低いか否かを判定する。外気温度が室内温度より低い場合には、制御装置Ｃｎｔは、ダンパー１０を第１の状態に切り換える。つまり、エアハンドリングユニット５０に取り込んだ空気を、全熱交換器である第３の熱交換器５２には流さずに、第３の風路５１Ｃを介して室内に供給する。これにより、室内空気よりも冷えた外気を室内に供給することができる。
【００５４】
冷凍サイクル装置３００は、フリークーリング運転とともに、給湯沸き上げ運転又は除霜運転を行っていてもよい。また、冷凍サイクル装置３００は、フリークーリング運転を行っているときにおいて、第１の暖房運転及び第２の暖房運転を行わない。
【００５５】
［本実施の形態３に係る冷凍サイクル装置３００の効果］
本実施の形態３に係る冷凍サイクル装置３００は、実施の形態１、２に係る冷凍サイクル装置１００の有する効果に加えて次の効果を有する。すなわち、冷凍サイクル装置３００は、フリークーリング運転を行うことができ、消費電力を抑えながら、室内温度の上昇を抑制することができる。
【００５６】
実施の形態３は、実施の形態２の構成に、ダンパー１０及び第３の風路５１Ｃを加えた構成であったがそれに限定されるものではない。実施の形態１の構成に、ダンパー１０及び第３の風路５１Ｃを加えた構成であってもよい。
【００５７】
実施の形態４．
図５は、本発明の実施の形態４に係る冷凍サイクル装置４００の概要構成例図である。実施の形態４では、実施の形態１〜３と共通する内容の説明は省略し、実施の形態１〜３と相違する部分を中心に説明するものとする。実施の形態４は、実施の形態２の構成に、第２のポンプ５Ｂが加わっている構成である。
【００５８】
熱媒体回路ＨＣは、熱媒体を搬送する第２のポンプ５Ｂを含む。第２のポンプ５Ｂは、第３の熱媒体配管Ｐ３に設けられている。第２のポンプ５Ｂは、熱媒体が流出する第２の流出部及び熱媒体が流入する第２の流入部を含む。第２のポンプ５Ｂの第２の流出部が第２の流路切替弁９Ｂに接続され、第２のポンプ５Ｂの第２の流入部が第４の熱交換器７に接続されている。
【００５９】
第１の流路切替弁９Ａは、第１の流路及び第２の流路に加えて、第５の熱交換器８から第４の熱交換器７へ熱媒体を流す第３の流路を形成することができる。
第２の流路切替弁９Ｂは、第３の熱媒体配管Ｐ３に設けられている。そして、第２の流路切替弁９Ｂは、第４の流路及び第５の流路に加えて、第２のポンプ５Ｂから第５の熱交換器８へ熱媒体を流す第６の流路を形成することができる。
【００６０】
［実施の形態４の動作説明］
冷凍サイクル装置４００は、第１の流路切替弁９Ａ、第２の流路切替弁９Ｂ及び第２のポンプ５Ｂを備えているため、廃熱回収暖房運転を行うことができる。
【００６１】
（廃熱回収暖房運転）
廃熱回収暖房運転は、第２の熱交換器４に着霜してしまった場合に行うことができる第３の暖房運転である。また、廃熱回収暖房運転は、室内で要求されている暖房負荷がさほど大きくない場合に、第１の暖房運転及び第２の暖房運転の代わりに行うこともできる。
【００６２】
制御装置Ｃｎｔは、室内の設定温度と室内温度との差が予め設定された値よりも小さい場合には、第３の暖房運転である廃熱回収暖房運転を行う。また、制御装置Ｃｎｔは、室内の設定温度と室内温度との差が予め設定された値以上である場合には、第１の暖房運転又は第２の暖房運転を行う。
【００６３】
廃熱回収暖房運転において、制御装置Ｃｎｔは第１の流路切替弁９Ａの第３の流路を開とし、第１の流路及び第２の流路を閉とする。また、廃熱回収暖房運転において、制御装置Ｃｎｔは第２の流路切替弁９Ｂの第６の流路を開とし、第４の流路及び第５の流路を閉とする。また、廃熱回収暖房運転において、制御装置Ｃｎｔは第１のポンプ５Ａを停止とし、第２のポンプ５Ｂを運転する。更に、廃熱回収暖房運転において、制御装置Ｃｎｔは第１の送風機５３Ａを運転する。
【００６４】
廃熱回収暖房運転である第３の暖房運転を行っているときにおいて、冷凍サイクル装置４００は、給湯沸き上げ運転、第１の暖房運転及び第２の暖房運転は行わない。
廃熱回収暖房運転である第３の暖房運転を行っているときにおいて、冷凍サイクル装置４００は、除霜運転を同時に行うことができる。
【００６５】
［本実施の形態４に係る冷凍サイクル装置４００の効果］
本実施の形態４に係る冷凍サイクル装置４００は、実施の形態２と同様の効果を有することに加えて、次の効果を有する。すなわち、冷凍サイクル装置４００は、第１の流路切替弁９Ａ、第２の流路切替弁９Ｂ及び第２のポンプ５Ｂを備えているため、廃熱回収暖房運転を行うことができ、第２の熱交換器４に着霜した場合でも加温された空気を室内に供給することができる。また、室内で要求されている暖房負荷がさほど大きくない場合には、第１の暖房運転及び第２の暖房運転を行なわず、第３の暖房運転を行う。第３の暖房運転では、第１の暖房運転及び第２の暖房運転よりも、熱媒体回路ＨＣの熱媒体が循環する総流路長が短いため、ポンプの消費電力を抑制することができる。それに加えて、第３の暖房運転では、圧縮機１が運転している必要がなく、その分、圧縮機１の消費電力を削減することができる。
【００６６】
［実施の形態４の変形例］
図６は、本実施の形態４の変形例（冷凍サイクル装置４０１）である。
冷凍サイクル装置４０１は、冷凍サイクル装置４００に、実施の形態３で説明したダンパー１０及び第３の風路５１Ｃを追加した態様である。つまり、実施の形態３と実施の形態４の構成を組み合わせた態様である。冷凍サイクル装置４０１は、実施の形態３に係る冷凍サイクル装置３００の効果及び実施の形態４に係る冷凍サイクル装置４００の効果を得ることができる。
【００６７】
実施の形態５．
図７は、本実施の形態５に係る冷凍サイクル装置５００の概要構成例図である。実施の形態５では、実施の形態１〜４と共通する内容の説明は省略し、実施の形態１〜４と相違する部分を中心に説明するものとする。実施の形態５の構成は、実施の形態２の構成に、第６の熱交換器１１及び膨張弁１２が加わっている構成である。
【００６８】
冷媒回路ＲＣは、冷媒を蒸発させる第６の熱交換器１１を含む。第６の熱交換器１１は、蒸発器として機能する。第６の熱交換器１１は、冷房運転用及び除湿運転用の熱交換器である。第６の熱交換器１１は、第１の風路５１Ａに配置されている。第６の熱交換器１１は、第１の風路５１Ａのうち、第３の熱交換器５２の下流であって第５の熱交換器８の上流の位置に配置されている。なお、第６の熱交換器１１は、第３の熱交換器５２の上流に配置されていてもよい。
【００６９】
また、冷媒回路ＲＣは、冷媒配管ＲＰ５と、冷媒配管ＲＰ６と、冷媒配管ＲＰ７とを含む。冷媒配管ＲＰ５は、一端が冷媒配管ＲＰ２に接続され、他端が膨張弁１２に接続されている。冷媒配管ＲＰ６は、一端が膨張弁１２に接続され、他端が第６の熱交換器１１に接続されている。冷媒配管ＲＰ７は、一端が第６の熱交換器１１に接続され、他端が冷媒配管ＲＰ４に接続されている。
更に、冷媒回路ＲＣは、冷媒を減圧する膨張弁１２を含む。
【００７０】
第１の風路５１Ａには、第３の熱交換器５２よりも下流であって第５の熱交換器８よりも上流の位置に第６の熱交換器１１が配置されている。
【００７１】
［実施の形態５の動作説明］
冷凍サイクル装置５００は、第６の熱交換器１１及び膨張弁１２を備えているため、除湿運転及び冷房運転を行うことができる。
【００７２】
（除湿運転）
冷媒回路ＲＣにおいて、圧縮機１で圧縮された高温高圧の冷媒が第１の熱交換器２に供給され、第１の熱交換器２を流れる熱媒体と熱交換する。第１の熱交換器２に供給された冷媒は、凝縮し、高圧の液冷媒となる。液冷媒の一部は、膨張弁１２で減圧し、第６の熱交換器１１で蒸発し、低圧のガス冷媒となる。液冷媒の残りは、膨張弁３で減圧し、第２の熱交換器４で蒸発し、低圧のガス冷媒となる。第６の熱交換器１１から流出したガス冷媒及び第２の熱交換器４で蒸発したガス冷媒は合流した後に、圧縮機１に吸入される。
除湿運転の熱媒体回路ＨＣの動作は、第１の暖房運転又は第２の暖房運転における熱媒体回路ＨＣの動作と同様である。つまり、第５の熱交換器８には第１の熱交換器２で加温された熱媒体が第４の熱媒体配管Ｐ４を介して供給され、その結果、第１の風路５１Ａを流れる空気が第５の熱交換器８に供給された熱媒体によって加温される。
【００７３】
除湿運転において、第１の送風機５３Ａの作用により第１の風路５１Ａに取り込まれた空気が、第３の熱交換器５２に流入した後に、第２の風路５１Ｂを流れる空気と熱交換する。例えば夏期において、室内の冷房が効いている場合には、第１の風路５１Ａに取り込まれた空気は、第３の熱交換器５２で冷却される。
そして、第１の風路５１Ａにおける第３の熱交換器５２を通過した空気は第６の熱交換器１１を通過する過程で冷却され、その結果、第１の風路５１Ａにおける第３の熱交換器５２を通過した空気は除湿される。なお、第６の熱交換器１１を通過した空気を冷却されているので、このまま室内に供給されると、室内に在室している者の快適性が損なわれる場合がある。このため、第６の熱交換器１１を通過した空気を第５の熱交換器８で加温してから室内に供給する。
【００７４】
（冷房運転）
冷房運転を行う場合には、加温された熱媒体が第５の熱交換器８を流れないように、第１のポンプ５Ａ及び第２のポンプ５Ｂを停止する、又は、第１の流路切替弁９Ａ及び第２の流路切替弁９Ｂを制御する。冷媒回路ＲＣにおける動作は、除湿運転と同様である。
【００７５】
［本実施の形態５に係る冷凍サイクル装置５００の効果］
本実施の形態５に係る冷凍サイクル装置５００は、実施の形態４と同様の効果を有することに加えて、次の効果を有する。すなわち、冷凍サイクル装置５００は第６の熱交換器１１を備えているため、冷凍サイクル装置５００は除湿運転及び冷房運転を行うことができ、室内に除湿された空気及び冷却された空気を供給することができる。
【００７６】
［実施の形態５の変形例１］
図８は、本実施の形態５の変形例１（冷凍サイクル装置５０１）である。
冷凍サイクル装置５０１は、冷凍サイクル装置５００に、実施の形態３で説明したダンパー１０及び第３の風路５１Ｃを追加した態様である。つまり、実施の形態５と実施の形態３の構成を組み合わせた態様である。
冷凍サイクル装置５０１は、実施の形態３に係る冷凍サイクル装置３００の効果及び実施の形態５に係る冷凍サイクル装置４００の効果を得ることができる。
【００７７】
［実施の形態５の変形例２］
図９は、本実施の形態５の変形例２（冷凍サイクル装置５０２）である。
冷凍サイクル装置５０２は、冷凍サイクル装置５００に、実施の形態３で説明したダンパー１０及び第３の風路５１Ｃと、実施の形態４で説明した第２のポンプ５Ｂとを追加した態様である。つまり、実施の形態５と実施の形態４と実施の形態３の構成を組み合わせた態様である。変形例２の除湿運転時において、熱媒体回路ＨＣでは、第１の暖房運転、第２の暖房運転又は第３の暖房運転と同様の動作を行う。
冷凍サイクル装置５０２は、実施の形態３に係る冷凍サイクル装置３００の効果、実施の形態４に係る冷凍サイクル装置４００の効果及び実施の形態５に係る冷凍サイクル装置４００の効果を得ることができる。
【００７８】
［実施の形態５の変形例３］
なお、変形例３に係る冷凍サイクル装置としては、冷凍サイクル装置５００に、実施の形態４で説明した第２のポンプ５Ｂとを追加した態様で構成することもできる。変形例３に係る冷凍サイクル装置は、実施の形態４に係る冷凍サイクル装置４００の効果及び実施の形態５に係る冷凍サイクル装置４００の効果を得ることができる。
【００７９】
実施の形態５は、第５の熱交換器８を備えることが前提の態様であったが、それに限定されるものではない。実施の形態１の構成に、第６の熱交換器１１及び膨張弁１２を加えた構成であってもよい。つまり、第５の熱交換器８が設けられていなくてもよい。
【００８０】
実施の形態６．
図１０は、本実施の形態６に係る冷凍サイクル装置６００の概要構成例図である。
本実施の形態６では、実施の形態１〜５と共通する内容の説明は省略し、実施の形態１〜５と相違する部分を中心に説明するものとする。実施の形態６において、エアハンドリングユニット５０と、機械室ユニット３０と、給湯タンク６とが一体型となっている。図１０では、便宜上、冷媒回路ＲＣの構成、制御装置Ｃｎｔ及び第１の送風機５３Ａ及び第２の送風機５３Ｂについては図示を省略している。
【００８１】
本実施の形態６において、エアハンドリングユニット５０は、機械室ユニット３０の上に配置されている。また、給湯タンク６は、機械室ユニット３０及びエアハンドリングユニット５０の側方に隣接して配置されている。
【００８２】
本実施の形態６では、実施の形態１の冷凍サイクル装置１００の構成を前提に説明したが、それに限定されるものではない。実施の形態６の構成は、実施の形態２〜５、実施の形態４の変形例、及び実施の形態５の変形例１〜３についても同様に適用することができる。
【００８３】
［本実施の形態６に係る冷凍サイクル装置６００の効果］
本実施の形態６に係る冷凍サイクル装置６００は、エアハンドリングユニット５０と、機械室ユニット３０と、給湯タンク６とが一体型となっている分、コンパクトに構成することができる。
【符号の説明】
【００８４】
１  圧縮機、２  第１の熱交換器、３  膨張弁、４  第２の熱交換器、５Ａ  第１のポンプ、５Ｂ  第２のポンプ、６  給湯タンク、７  第４の熱交換器、８  第５の熱交換器、９Ａ  第１の流路切替弁、９Ｂ  第２の流路切替弁、１０  ダンパー、１１  第６の熱交換器、１２  膨張弁、３０  機械室ユニット、３１  第２の筐体、５０  エアハンドリングユニット、５１  第３の筐体、５１Ａ  第１の風路、５１Ａ１  第１の入口、５１Ａ２  第１の出口、５１Ｂ  第２の風路、５１Ｂ１  第２の入口、５１Ｂ２  第２の出口、５１Ｃ  第３の風路、５１Ｃ１  第３の入口、５１Ｃ２  第３の出口、５２  第３の熱交換器、５３Ａ  第１の送風機、５３Ｂ  第２の送風機、１００  冷凍サイクル装置、１０１  第１の筐体、２００  冷凍サイクル装置、３００  冷凍サイクル装置、４００  冷凍サイクル装置、４０１  冷凍サイクル装置、５００  冷凍サイクル装置、５０１  冷凍サイクル装置、５０２  冷凍サイクル装置、６００  冷凍サイクル装置、Ｃｎｔ  制御装置、ＨＣ  熱媒体回路、Ｐ１  第１の熱媒体配管、Ｐ２  第２の熱媒体配管、Ｐ３  第３の熱媒体配管、Ｐ４  第４の熱媒体配管、Ｐ５  第５の熱媒体配管、ＲＣ  冷媒回路、ＲＰ１  冷媒配管、ＲＰ２  冷媒配管、ＲＰ３  冷媒配管、ＲＰ４  冷媒配管、ＲＰ５  冷媒配管、ＲＰ６  冷媒配管、ＲＰ７  冷媒配管。
【図１】
2019064335.tif 000003
【図２】
2019064335.tif 000004
【図３】
2019064335.tif 000005
【図４】
2019064335.tif 000006
【図５】
2019064335.tif 000007
【図６】
2019064335.tif 000008
【図７】
2019064335.tif 000009
【図８】
2019064335.tif 000010
【図９】
2019064335.tif 000011
【図１０】
2019064335.tif 000012
【手続補正書】
【提出日】令和2年3月17日(2020.3.17)
【手続補正１】
【補正対象書類名】明細書
【補正対象項目名】０００６
【補正方法】変更
【補正の内容】
【０００６】
本発明に係る冷凍サイクル装置は、筐体と、屋外に連通する第１の入口及び室内に連通する第１の出口を有する第１の風路と、室内に連通する第２の入口及び屋外に連通する第２の出口を有する第２の風路と、第１の入口から第１の出口へ空気を流す第１の送風機と、第２の入口から第２の出口へ空気を流す第２の送風機とを含み、筐体に収容されたエアハンドリングユニットと、冷媒が循環する冷媒回路と、を備え、冷媒回路は、冷媒と熱媒体との熱交換を行い、冷媒を凝縮させる第１の熱交換器と、第２の風路内に配置され、冷媒と第２の風路を流れる空気との熱交換を行い、冷媒を蒸発させる第２の熱交換器とを含むものである。
【手続補正２】
【補正対象書類名】特許請求の範囲
【補正対象項目名】全文
【補正方法】変更
【補正の内容】
【特許請求の範囲】
【請求項１】
筐体と、
屋外に連通する第１の入口及び室内に連通する第１の出口を有する第１の風路と、前記室内に連通する第２の入口及び前記屋外に連通する第２の出口を有する第２の風路と、前記第１の入口から前記第１の出口へ空気を流す第１の送風機と、前記第２の入口から前記第２の出口へ空気を流す第２の送風機とを含み、前記筐体に収容されたエアハンドリングユニットと、
冷媒が循環する冷媒回路と、
を備え、
前記冷媒回路は、
前記冷媒と熱媒体との熱交換を行い、前記冷媒を凝縮させる第１の熱交換器と、
前記第２の風路内に配置され、前記冷媒と前記第２の風路を流れる空気との熱交換を行い、前記冷媒を蒸発させる第２の熱交換器とを含む
冷凍サイクル装置。
【請求項２】
前記冷媒回路は、
前記筐体に収容されている
請求項１に記載の冷凍サイクル装置。
【請求項３】
前記エアハンドリングユニットは、
前記第１の風路及び前記第２の風路に接続され、前記第１の風路を流れる空気と前記第２の風路を流れる空気とを全熱交換する第３の熱交換器をさらに含む
請求項１又は２に記載の冷凍サイクル装置。
【請求項４】
前記第２の風路には、
前記第２の風路の空気の流れ方向の最上流の位置に前記第２の入口が形成され、
前記第２の風路の空気の流れ方向の最下流の位置に前記第２の出口が形成され、
前記第２の入口の下流であって前記第２の出口の上流の位置に前記第３の熱交換器が配置され、
前記第３の熱交換器よりも下流であって前記第２の出口の上流の位置に前記第２の熱交換器が配置されている
請求項３に記載の冷凍サイクル装置。
【請求項５】
前記第１の熱交換器と、前記熱媒体を搬送する第１のポンプとを含み、前記熱媒体が循環する熱媒体回路をさらに備え、
前記熱媒体回路は、給湯タンク内の水を加温する第４の熱交換器に接続され、
前記第１のポンプは、前記熱媒体が流出する第１の流出部及び前記熱媒体が流入する第１の流入部を含み、
前記熱媒体回路は、
前記第１のポンプの前記第１の流出部と前記第１の熱交換器とを接続する第１の熱媒体配管と、
前記第１の熱交換器と前記第４の熱交換器とを接続する第２の熱媒体配管と、
前記第４の熱交換器と前記第１のポンプの前記第１の流入部とを接続する第３の熱媒体配管とを含む
請求項１〜４のいずれか一項に記載の冷凍サイクル装置。
【請求項６】
前記熱媒体回路は、
前記第１の風路に配置された第５の熱交換器と、
前記第２の熱媒体配管に設けられ、前記第１の熱交換器から前記第４の熱交換器へ前記熱媒体を流す第１の流路及び前記第１の熱交換器から前記第５の熱交換器へ前記熱媒体を流す第２の流路とを形成する第１の流路切替弁と、
前記第２の熱媒体配管又は前記第３の熱媒体配管に設けられ、前記第５の熱交換器から前記第１のポンプへ前記熱媒体を流す第４の流路及び前記第４の熱交換器から前記第１のポンプへ前記熱媒体を流す第５の流路とを形成する第２の流路切替弁と、
前記第１の流路切替弁と前記第５の熱交換器とを接続する第４の熱媒体配管と、
前記第２の流路切替弁と前記第５の熱交換器とを接続する第５の熱媒体配管とをさらに含み、
前記第１の風路には、
前記第１の風路の空気の流れ方向の最上流の位置に前記第１の入口が形成され、
前記第１の風路の空気の流れ方向の最下流の位置に前記第１の出口が形成され、
前記第１の入口の下流であって前記第１の出口の上流の位置に前記第３の熱交換器が配置され、
前記第３の熱交換器よりも下流であって前記第１の出口の上流の位置に前記第５の熱交換器が配置されている
請求項３に従属する請求項５に記載の冷凍サイクル装置。
【請求項７】
前記熱媒体回路は、前記熱媒体を搬送する第２のポンプをさらに含み、
前記第１の流路切替弁は、
前記第５の熱交換器から前記第４の熱交換器へ前記熱媒体を流す第３の流路を形成し、
前記第２の流路切替弁は、
前記第３の熱媒体配管に設けられ、
前記第２のポンプから前記第５の熱交換器へ前記熱媒体を流す第６の流路を形成し、
前記第２のポンプは、
前記第３の熱媒体配管に設けられ、
前記熱媒体が流出する第２の流出部及び前記熱媒体が流入する第２の流入部を含み、
前記第２の流出部が前記第２の流路切替弁に接続され、
前記第２の流入部が前記第４の熱交換器に接続されている
請求項６に記載の冷凍サイクル装置。
【請求項８】
前記冷媒回路は、前記冷媒を蒸発させる第６の熱交換器をさらに含み、
前記第１の風路には、
前記第３の熱交換器よりも下流であって前記第５の熱交換器よりも上流の位置に前記第６の熱交換器が配置されている
請求項６又は７に記載の冷凍サイクル装置。
【請求項９】
前記エアハンドリングユニットは、
前記第１の風路に配置されたダンパーと、
前記第１の風路から分岐する第３の風路とをさらに含み、
前記第３の風路は、
前記第１の風路に連通する第３の入口と、
前記室内に連通する第３の出口と、を有し、
前記ダンパーは、
前記第１の風路を流れる空気が前記第１の風路から前記第３の風路へ流れ、前記第１の風路を流れる空気が前記第３の熱交換器をバイパスする第１の状態と、
前記第１の風路を流れる空気が前記第３の熱交換器へ流れ、前記第３の入口を塞ぐ第２の状態とが切り換えられる
請求項３、４と、請求項３、４に従属する請求項５と、請求項６、７とのいずれか一項に記載の冷凍サイクル装置。
【国際調査報告】
2019064335.tif 000013
2019064335.tif 000014
2019064335.tif 000015
2019064335.tif 000016